(57)【要約】【課題】コンセントを使い易く、またコンセントの数が多くても目立たないようにする。【解決手段】巾木相当部位に設けられた収容部１と、収容部１の開口部１１を閉塞する着脱自在なカバー１２とを有し、収容部１には低圧屋内配線用電線５及び電線５に結線されるコンセント６を有する電気配線システムＩ。カバー１２は、コンセント用カバー体１２１と非コンセント用カバー体１２２とを有する。コンセント用カバー体１２１は、コンセント６に相対して収容部１の開口部１１に被着される。非コンセント用カバー体１２２は、収容部１に収容されているコンセント６以外の部品と相対して収容部１の開口部１１に被着され、当該被着状態で開口部１１を閉塞する。収容されているコンセント６のうち、通常は、使用に供されていないコンセント６は、非コンセント用カバー体１２２によって被覆される。【選択図】図１
2008219968.tif 000002
【特許請求の範囲】
【請求項１】
建物の各部屋における床と接する壁の下部に壁面に沿って延在すると共に低圧屋内配線用の電線及び当該電線によって連結される複数のコンセントを収容し、これら電線やコンセントを収容するための開口部が室内に臨む状態で壁面に取り付けられた巾木状をした収容部と、
この収容部の前記開口部を閉塞する着脱自在なカバーと、を有する電気配線システムであって、
前記カバーは、前記コンセントに相対して前記収容部の開口部に被着され、当該被着された状態でコンセントの差込口を室内側に臨ませるための開口を有するコンセント用カバー体と、
このコンセント用カバー体と面一でかつ連続して配置され、前記収容部に収容されているコンセント以外の部品と相対して前記収容部の開口部に被着され、当該被着された状態で前記収容部の開口部を閉塞する非コンセント用カバー体と、
を有し、
前記収容部に収容されているコンセントのうち、通常、使用に供されていないコンセントは、前記非コンセント用カバー体によって被覆されることを特徴とする電気配線システム。
【請求項２】
前記コンセント用カバー体と相対するコンセントは、その差込口が斜め上を向いたコンセントであって、前記コンセント用カバー体が被着されると、このコンセント用カバー体の前記開口から差込口を室内側に臨ませることを特徴とする請求項１に記載の電気配線システム。
【請求項３】
前記コンセント同士を結ぶ電線には、前記コンセント同士の結線方向と交叉する方向に電流を分岐するための分岐装置が設けられ、この分岐装置経由の電線を前記巾木状をした収容部の上方に延在して、当該上方に延びる電線を前記収容部に収容されているコンセントとは別のコンセントと接続することを特徴とする請求項１又は２に記載の電気配線システム。
【発明の詳細な説明】
【技術分野】
【０００１】
本発明は電気配線システムに関する。
【背景技術】
【０００２】
これまで電気コンセント（以下、単にコンセント）は、分電盤からの電線の所定の場所に取り付けられるのが普通であった。
【０００３】
しかし、室内家具のレイアウトの変更を行ったりするとコンセントが家具などにより隠れて使用できなくなってしまう場合がある。
【０００４】
また、例えばパソコンの普及に伴いプリンターやスキャナその他のパソコン周辺機器が併用されるようになり、これまで室内に設置されていたコンセントだけではその数が足りなくなることがしばしば生じる。
【０００５】
このような事情から、テーブルタップを使い、一つのコンセントから複数の電気器具に接続することが行われるようになった。
【０００６】
テーブルタップを使うことで１つのコンセント回路にたくさん電流が流れると、ブレーカーによる当該回路の遮断がされる可能性が高まり、遮断されるぎりぎりまで使い続けると、発熱により配線が焼け、ショートや漏電の虞がある。またそれらの２次災害として、感電や火災といった事が起こり得る。このため、テーブルタップを使用して、一つのコンセントで複数の電気器具に電流を流す場合には、注意が必要である。
【０００７】
また、テーブルタップを使い、一つのコンセントから複数の電気器具に接続する場合は、複数のコードがテーブルタップから各電気器具に向けて延びるので、乱雑観が伴い、見栄えがよいとはいえない。
【０００８】
そこで、このような弊害を除去するために、床と壁の継ぎ目に設置する巾木に複数のコンセントを設置する技術が周知である。
【０００９】
しかし巾木は、床と接する壁の下部に設けられるため、そこに設けられているコンセントは電気器具のプラグを差し込む際に使用者がしゃがまなければならず、必ずしも使い易いとは言い難い。また一部屋当たりのコンセントの設置数が多いのは、部屋の広さにもよるが良い美観を与えない。さらに複数のコンセントのすべてが同時に使用されることはあまりない。このため、使い勝手に優れかつ数が多くてもコンセントが目立たないようにできる技術が望まれていた。
【特許文献１】実用新案登録第３１２２３６１号公報
【発明の開示】
【発明が解決しようとする課題】
【００１０】
本発明は、上記実情に鑑みてなされたものであって、その解決しようとする課題は、使い勝手に優れかつ数が多くてもコンセントが目立たないようにすることにある。
【課題を解決するための手段】
【００１１】
そこで本発明は、建物の各部屋における床と接する壁の下部に壁面に沿って延在すると共に低圧屋内配線用の電線及び当該電線によって連結される複数のコンセントを収容し、これら電線やコンセントを収容するための開口部が室内に臨む状態で壁面に取り付けられ
た巾木状をした収容部と、この収容部の前記開口部を閉塞する着脱自在なカバーと、を有する電気配線システムであって、前記カバーは、前記コンセントに相対して前記収容部の開口部に被着され、当該被着された状態でコンセントの差込口を室内側に臨ませるための開口を有するコンセント用カバー体と、このコンセント用カバー体と面一でかつ連続して配置され、前記収容部に収容されているコンセント以外の部品と相対して前記収容部の開口部に被着され、当該被着された状態で前記収容部の開口部を閉塞するコンセント用カバー体と、を有し、前記収容部に収容されているコンセントのうち、通常、使用に供されていないコンセントは、前記非コンセント用カバー体によって被覆されることを特徴とする電気配線システムとした。
【００１２】
本発明の電気配線システムによれば、巾木状をした収容部（以下、巾木状収容部という）は、各部屋における床と接する壁の下部に取り付けられ壁面に沿って延在するから、床と壁の継ぎ目に設置する巾木として実質機能する。
【００１３】
そして、巾木状収容部に収容されている複数あるコンセントのうち、使用に供されていないコンセントがあった場合には、そのコンセントは開口を有するコンセント用カバー体の代わりに収容部の開口を閉塞する非コンセント用カバー体を被せておくこともできるので、たとえ巾木状収容部の長さに比してコンセントの設置数が多い場合でも、使用しないコンセントは非コンセント用カバー体で隠蔽されその存在がわからないようにできる。よって、巾木状収容部の長さに比してコンセントの設置数が多いという状況ではなくなる。
【００１４】
前記コンセント用カバー体と相対するコンセントは、その差込口が斜め上を向いたコンセントであってもよい。この場合、前記コンセント用カバー体が被着されて、その開口からコンセントの差込口を室内側に臨ませると、電気器具のプラグの差し込み方向を下方に変更することができるので、プラグを差し込み易くできるようになる。
【００１５】
コンセント同士を結ぶ電線には、前記コンセント同士の結線方向と交叉する方向に電流を分岐する分岐装置が設けられ、この分岐装置経由の電線を前記巾木状収容部の上方に延在して、当該上方に延びる電線を前記収容部に収容されているコンセントとは別の、例えば壁面に露出された状態で取り付けられる露出型コンセントと接続するようにすることもできる。このようにすることで、コンセントの設置範囲を巾木状収容部だけに限ることなく広げられる。
【発明の効果】
【００１６】
したがって本発明によれば、使い勝手に優れかつコンセントの設置数が多くてもコンセントを目立たないようにすることができる。
【発明を実施するための最良の形態】
【００１７】
以下、本発明の電気配線システムの実施の形態（以下、実施形態）を添付した図面を参照して説明する。
【００１８】
本発明に係る電気配線システムＩは、マンションなどの住宅（建物）に適用される。具体的には、図１，２に示すように、電気配線システムＩは、いわゆる巾木部分に組み込まれたシステムである。
【００１９】
詳しくは、巾木状収容部１は、住宅の部屋２における床３と接する壁面４の下部に壁面４に沿って水平に配置されている。また巾木状収容部１には、少なくとも低圧屋内配線用の電線５及び当該電線５によって連結される複数のコンセント６が収容されている。そして電線５やコンセント６を室内側から収容できるように、巾木状収容部１の開口部１１が室内側に臨まされた状態で壁面４に埋設され（図２参照）、開口部１１には、カバー１２
が着脱自在に取り付けられている。
【００２０】
コンセント６は、プラス及びマイナスの電極部と外装である差込口６２とを有する。なお、電極部については、差込口が斜め上を向くコンセント６Ａの項で符号６１をもって説明する（図３〜６参照）。
【００２１】
カバー１２は、異種類（この実施形態では２種類）のカバー体から構成されている。すなわちカバー１２は、コンセント６に相対し、コンセント６の差込口６２を室内側に臨ませるための開口部１２１ｏを有するコンセント用カバー体１２１と、コンセント用カバー体１２１に連続して配置され、前記巾木状収容部１に収容されているコンセント６以外の部品と相対する非コンセント用カバー体１２２とを有する。
【００２２】
いずれのカバー体１２１，１２２も着脱片１２１ａ，１２２ａにより巾木状収容部１の開口部１１に対して着脱される。そして、開口部１１にコンセント用カバー体１２１及び非コンセント用カバー体１２２を取り付けたときに、両カバー体１２１及び１２２が面一になるように、両カバー体の高さ寸法（カバー体１２１及び１２２を巾木状収容部１の開口部１１に取り付けたときに、両カバー体１２１・１２２が、開口部１１から突出する量）が決められている。なお、コンセント６以外の部品とは、電線５や後述する分岐装置９を例示できる。
【００２３】
また、この実施例ではコンセント６を一つの巾木状収容部に２個設置したものを例示したが、巾木状収容部１の長さ寸法に比してコンセント６を規定の数よりも多めに設けて置くことができる。その場合、コンセント６の数の多さが目につくことがありえるが、使用に供されていないコンセント６を非コンセント用カバー体１２２で被すことにより、コンセント６は隠蔽され、その存在がわからなくできる。したがって、巾木状収容部の長さ（又は部屋の広さ）に比して、コンセント６の設置数が多いという状況ではなくなる（図２参照）。
【００２４】
さらに、コンセント６同士を結ぶ電線５には、コンセント同士の結線方向と交叉する方向（鉛直方向）に電流を分岐するための分岐装置９が設けられている。また、この分岐装置９を経由した電線（この実施例ではフラットケーブル１０）を巾木状収容部１の上方に延在し、当該フラットケーブル１０を壁面４に露出して設けられている露出型コンセント６Ｂと接続することができる。このようにすることでコンセントの設置範囲を拡大することができる。なお、符号１０１は、フラットケーブル１０を壁面４に取り付けるためのクロスである。クロス１０１は、フラットケーブル１０の長さに応じて複数使用する。
【００２５】
また、コンセントをその差込口が斜め上を向くもの６Ａにすれば、電気器具のプラグの差し込み方向を下方に変更することができるので当該差込口６２に電気器具のプラグを差し込み易くなる（図３参照）。このため、床３と接する壁４の下部に設けられている巾木状収容部１に設けられているコンセントであっても使いやすい。
【００２６】
次にこのような電気配線システムＩに係るコンセントを巾木状収容部１に設置する手順について図４〜８を参照して説明する。なお、図４〜８には差込口が斜め上を向くコンセント６Ａの場合として例示する。
【００２７】
手順１：巾木状収容部１を住宅の部屋２における床３と接する壁４の下部に壁面に沿って水平に取り付ける。このとき低圧屋内配線用の電線５を巾木状収容部１の内部に通しておく（図４参照）。
【００２８】
手順２：巾木状収容部１内にビスその他の固定手段によりコンセント６Ａを組み付ける
（図５参照）。なお、図５ではコンセント６Ａの構成部材である電極部６１のみ示す。
【００２９】
手順３：コンセント６Ａの電極部６１のプラスとマイナスに低圧屋内配線用の電線５を結線する（図６参照）。
【００３０】
手順４：電極部６１に差込口６２を取り付けると共に巾木状収容部１のコンセント６Ａにコンセント用カバー体１２１を被覆し、それ以外の部分に非コンセント用カバー体１２２を被覆して（図７参照）、巾木状収容部１にコンセント６Ａが装着される（図８参照）。
【００３１】
次にこのような構成の電気配線システムＩの作用効果について説明する。
電気配線システムＩによれば、巾木状収容部１は、各部屋２における床３と接する壁４の下部に取り付けられ、壁面に沿って水平に延在するから、床３と壁４の継ぎ目に設置する巾木として機能する。
【００３２】
そして、複数あるコンセント６のうち使用しないコンセント６（又は６Ａ）は、開口部付きコンセント用カバー体１２１の代わりに非コンセント用カバー体１２２を被せておくこともできるので、たとえ巾木状収容部１の長さに比してコンセント６の設置数が多すぎることがあっても、使用しないコンセント６は非コンセント用カバー体１２２で隠蔽し、その存在がわからないようにすることができる。よって、巾木状収容部１の長さに比してコンセント６の設置数が多いという状況ではなくなる。
【００３３】
なお、コンセント用カバー体１２１は開口部１２１ｏを有するものを例示したが、開口部１２１ｏを有しない点以外コンセント用カバー体１２１と同じカバー体を利用し、当該カバー体のうち開口部１２１ｏの輪郭に当たる部分に削除線やミシン目線を入れておき、コンセントの増設前はこれを被覆カバーとして利用することも考えられる。その場合、巾木状収容部１の長さに比して、コンセント６の設置数が多いという状況を回避できる。そして、コンセントの増設を必要とするときは、前記削除線やミシン目線に切れ目を入れ、既述した開口部１２１ｏを有するコンセント用カバー体１２１として利用する。このようにすることで、カバー体の用途が広がり、使い勝手がよい。
【００３４】
また、差込口６２が斜め上を向いたコンセント６Ａを用いれば、壁４の下部に位置する巾木状収容部１にコンセント６Ａを設けた場合でも電気器具のプラグを差し込み易くできるので、老人や病人にとっても使いやすい。
【００３５】
分岐装置９には電線５と交差して上方に延びるフラットケーブル１０が接続され、フラットケーブル１０を巾木状収容部１の上方に延在して、露出型コンセント６Ｂと接続されているので、コンセントの設置範囲を広げることができる。例えば巾木状収容部１に設けられているコンセント６では机などにより隠れて使用できなくなってしまう場合であっても、露出型コンセント６Ｂの設置位置を図１のように机よりも高い位置に設定しておけば、露出型コンセント６Ｂは机に隠れてしまうことがないので利用することができる。よって使い勝手がよい。
【００３６】
本発明は上述の図示例にのみ限定されるものではなく、本発明の要旨を逸脱しない範囲内において種種変更を加え得ることは勿論である。
例えば、上記実施形態では、マンションを例に説明したが、本発明が適用される建物は、主要な骨組の部材に木材を使用し、かつ主柱、桁・梁を構成要素とする木造軸組工法の建築物であってもよい。
【図面の簡単な説明】
【００３７】
【図１】本発明電気配線システムが適用された室内の鳥瞰図である。
【図２】図１の要部拡大図であってカバーを取り外して巾木状収容部の内部を示す図である。
【図３】差込口が斜め上を向いたコンセントを使用した図２に相当する図である。
【図４】本発明に係る電気配線システムの組み付け手順を説明する図であって、巾木状収容部を壁面に沿って水平に設けた図である。
【図５】図４に連続する図であって、図４の巾木状収容部にコンセントを組み付ける状態を示す図である。
【図６】図５に連続する図であって、図５で組み付けたコンセントのプラスとマイナスに低圧屋内配線用の電線を結線する状態を要部拡大図と共に示す図である。
【図７】図６に連続する図であって、図６で組み付けたコンセントに差込口を取り付けると共に巾木状収容部にカバーを取り付けている状態を示す図である。
【図８】図７に連続する図であって、組み付けが完成した状態を示す図である。
【符号の説明】
【００３８】
Ｉ  電気配線システム
１  巾木状をした収容部
１１  開口部
１２  着脱自在なカバー
１２１  コンセント用カバー体
１２１ａ  着脱片
１２１ｏ  コンセント用カバー体の開口部
１２２  非コンセント用カバー体
１２２ａ  着脱片
２  住宅の部屋
３  床
４  壁面
５  低圧屋内配線用の電線
６  コンセント
６Ａ  差込口が斜め上を向くコンセント
６Ｂ  露出型コンセント
６１  電極部
６２  差込口
９  分岐装置
１０  フラットケーブル
１０１  クロス
【図１】
2008219968.tif 000003
【図２】
2008219968.tif 000004
【図３】
2008219968.tif 000005
【図４】
2008219968.tif 000006
【図５】
2008219968.tif 000007
【図６】
2008219968.tif 000008
【図７】
2008219968.tif 000009
【図８】
2008219968.tif 000010